(57)【要約】【課題】特に長いリピータスパンで用いることが可能な、双方向光学時間領域反射率測定（ＯＴＤＲ）技法とループゲイン監視技法の両方を可能にするリピータ（１、２、…、Ｎ）を提供する。【解決手段】一実施形態では、リピータ（１、２、…、Ｎ）は、着信ファイバ経路と発信ファイバ経路との間で試験信号を結合することを行うように構成された高損失ループバック（ＨＬＬＢ）経路（２０２、２０４）を含む。ＨＬＬＢ経路（２０２、２０４）は、リピータ内で増幅器（Ａ、Ｂ）の出力から入力に結合され、試験信号が、試験信号を送信した回線監視装置に戻され得るように、ＯＴＤＲ信号とループバック信号の両方を発信ファイバ経路から着信ファイバ経路に結合する。【選択図】図１
2014150527.tif 000002
【特許請求の範囲】
【請求項１】
所与の通信方向に対して着信ファイバ経路と発信ファイバ経路とを動作可能に結合することが可能な、光通信システム（１００）のためのリピータ（１、２、…、Ｎ）であって、
入力および出力を有し、光信号を増幅するための第１の増幅器（Ａ）と、
入力および出力を有し、光信号を増幅するための第２の増幅器（Ｂ）と、
前記第１の増幅器（Ａ）の前記出力を前記第２の増幅器（Ｂ）の前記入力に結合するための第１の高損失ループバック（ＨＬＬＢ）経路（２０２）であって、
第１の回線監視装置（ＬＭＥ）（ＬＭＥ１）からの、前記発信ファイバ経路から反射された発信光学時間領域反射率測定（ＯＴＤＲ）試験信号を着信方向に前記着信ファイバ経路に結合することと、
前記第１のＬＭＥ（ＬＭＥ１）からの着信ＯＴＤＲ試験信号を発信方向に前記着信ファイバ経路に結合することと、
前記第１のＬＭＥ（ＬＭＥ１）からのループバック試験信号を着信方向に前記着信ファイバ経路に結合することと
を行うように構成された第１のＨＬＬＢ経路と
を備えるリピータ。
【請求項２】
前記第１のＨＬＬＢ経路が、
前記発信ファイバ経路に結合された第１の光結合器（結合器１）と、
第１のポートを前記第１の光結合器（結合器１）の第１のポートに結合させた、前記着信ファイバ経路に結合された第２の光結合器（結合器２）と、
前記第１の光結合器の第２のポートに結合された第１の選択フィルタ（フィルタ１）と、
前記第２の光結合器の第２のポートに結合された第２の選択フィルタ（フィルタ２）と、
前記第２の選択フィルタ（フィルタ２）に結合された第３の選択フィルタ（フィルタ３）と
を含む、請求項１に記載のリピータ。
【請求項３】
前記第２の選択フィルタ（フィルタ２）と前記第３の選択フィルタ（フィルタ３）との間に結合された光減衰器（減衰器１）をさらに備える、請求項２に記載のリピータ。
【請求項４】
前記第１の選択フィルタおよび前記第３の選択フィルタ（フィルタ１、フィルタ３）が、第１の波長（λ１）を有する試験信号を反射することを行うように構成され、前記第２の選択フィルタ（フィルタ２）が、第２の波長（λ２）を有する試験信号を反射することを行うように構成された、請求項２に記載のリピータ。
【請求項５】
前記ループバック試験信号と前記着信ＯＴＤＲ試験信号とが前記第１の波長（λ１）において提供され、前記発信ＯＴＤＲ試験信号が前記第２の波長（λ２）において提供される、請求項４に記載のリピータ。
【請求項６】
光伝送経路を提供するために動作可能に結合された複数のリピータ（１、２、…、Ｎ）を備える光通信システム（１００）であって、それぞれのリピータが、
入力および出力を有し、光信号を増幅するための第１の増幅器（Ａ）と、
入力および出力を有し、光信号を増幅するための第２の増幅器（Ｂ）と、
前記第１の増幅器（Ａ）の前記出力を前記第２の増幅器（Ｂ）の前記入力に結合するための第１の高損失ループバック（ＨＬＬＢ）経路（２０２）、および
前記第２の増幅器（Ｂ）の前記出力を前記第１の増幅器（Ａ）の前記入力に結合するための第２のＨＬＬＢ経路（２０４）であって、
前記第１のＨＬＬＢおよび前記第２のＨＬＬＢ経路（２０２、２０４）のそれぞれが、
関連する発信ファイバ経路から反射された、関連する発信光学時間領域反射率測定（ＯＴＤＲ）試験信号を、関連する着信方向に、関連する着信ファイバ経路に結合することと、
関連する着信ＯＴＤＲ試験信号を、関連する発信方向に、前記関連する着信ファイバ経路に結合することと、
関連するループバック試験信号を、前記関連する着信方向に、前記関連する着信ファイバ経路に結合することと
を行うように構成された、第１のＨＬＬＢ経路および第２のＨＬＬＢ経路と、
前記関連する発信ＯＴＤＲ試験信号と、前記関連する着信ＯＴＤＲ試験信号と、前記関連するループバック試験信号とに応答して、前記第１のＨＬＬＢ経路（２０２）を介して第１の回線監視装置（ＬＭＥ１）に戻された信号を解析するために前記光伝送経路の第１の終端に動作可能に結合された第１のＬＭＥ（ＬＭＥ１）と、
前記関連する発信ＯＴＤＲ試験信号と、前記関連する着信ＯＴＤＲ試験信号と、前記関連するループバック試験信号とに応答して、前記第２のＨＬＬＢ経路（２０４）を介して第２の回線監視装置（ＬＭＥ２）に戻された信号を解析するために前記光伝送経路の第２の終端に動作可能に結合された第２のＬＭＥ（ＬＭＥ２）とを備える、
システム。
【請求項７】
前記第１のＨＬＬＢ経路および前記第２のＨＬＬＢ経路（２０２、２０４）のそれぞれが、
前記関連する発信ファイバ経路に結合された第１の光結合器（結合器１、結合器３）と、
第１のポートを前記第１の光結合器（結合器１、結合器３）の第１のポートに結合させた、前記関連する着信ファイバ経路に結合された第２の光結合器（結合器２、結合器４）と、
前記第１の光結合器（結合器１、結合器３）の第２のポートに結合された第１の選択フィルタ（フィルタ１、フィルタ４）と、
前記第２の光結合器（結合器２、結合器４）の第２のポートに結合された第２の選択フィルタ（フィルタ２、フィルタ５）と、
前記第２の選択フィルタ（フィルタ２、フィルタ５）に結合された第３の選択フィルタ（フィルタ３、フィルタ６）と
を含む、請求項６に記載のシステム。
【請求項８】
前記第１のＨＬＬＢ経路および前記第２のＨＬＬＢ経路（２０２、２０４）のそれぞれが、前記第２の選択フィルタ（フィルタ２、フィルタ５）と前記第３の選択フィルタ（フィルタ３、フィルタ６）との間に結合された光減衰器（減衰器１、減衰器２）を含む、請求項７に記載のシステム。
【請求項９】
前記第１の選択フィルタ（フィルタ１、フィルタ４）および前記第３の選択フィルタ（フィルタ３、フィルタ６）が、第１の波長（λ１）を有する試験信号を反射することを行うように構成され、前記第２の選択フィルタ（フィルタ２、フィルタ５）が、第２の波長（λ２）を有する試験信号を反射することを行うように構成された、請求項７に記載のシステム。
【請求項１０】
前記関連するループバック試験信号と前記関連する着信ＯＴＤＲ試験信号とが前記第１の波長（λ１）において提供され、前記関連する発信ＯＴＤＲ試験信号が前記第２の波長（λ２）において提供される、請求項９に記載のシステム。
【請求項１１】
発信ファイバ経路と着信ファイバ経路とを含む光通信システム（１００）を監視する方法であって、
発信光学時間領域反射率測定（ＯＴＤＲ）試験信号と、着信ＯＴＤＲ試験信号と、ループバック試験信号とを含む試験信号を回線監視装置（ＬＭＥ）（ＬＭＥ１）から前記発信ファイバ経路上に送信するステップと、
前記試験信号の少なくとも一部を、リピータ（１、２、…、Ｎ）を介して、前記発信ファイバ経路から前記着信ファイバ経路に結合するステップであって、前記リピータが、
入力および出力を有し、光信号を増幅するための第１の増幅器（Ａ）と、
入力および出力を有し、光信号を増幅するための第２の増幅器（Ｂ）と、
前記第１の増幅器（Ａ）の前記出力を前記第２の増幅器（Ｂ）の前記入力に結合するための高損失ループバック（ＨＬＬＢ）経路（２０２）と
を含む、ステップと、
前記ＬＭＥ（ＬＭＥ１）において、前記着信ファイバ経路から、前記発信ＯＴＤＲ試験信号に応答して、発信ＯＴＤＲ信号を受信し、前記着信ＯＴＤＲ試験信号に応答して、着信ＯＴＤＲ信号を受信し、前記ループバック試験信号に応答して、ループバック信号を受信するステップと、
前記光通信システム（１００）内の欠陥を監視するために、前記発信ＯＴＤＲ信号と、前記着信ＯＴＤＲ信号と、前記ループバック信号とを解析するステップと
を含む方法。
【請求項１２】
前記ＨＬＬＢ経路（２０２）が、
前記発信ファイバ経路からの前記発信ＯＴＤＲ試験信号の反射の後に、前記発信ＯＴＤＲ試験信号を着信方向に前記着信ファイバ経路に結合することと、
前記着信ＯＴＤＲ試験信号を発信方向に前記着信ファイバ経路に結合することと、
前記ＬＭＥからの前記ループバック試験信号を着信方向に前記着信ファイバ経路に結合することと
を行うように構成された、請求項１１に記載の方法。
【請求項１３】
前記ＨＬＬＢ経路（２０２）が、
前記発信ファイバ経路に結合された第１の光結合器（結合器１）と、
第１のポートを前記第１の光結合器（結合器１）の第１のポートに結合させた、前記着信ファイバ経路に結合された第２の光結合器（結合器２）と、
前記第１の光結合器（結合器１）の第２のポートに結合された第１の選択フィルタ（フィルタ１）と、
前記第２の光結合器（結合器２）の第２のポートに結合された第２の選択フィルタ（フィルタ２）と、
前記第２の選択フィルタ（フィルタ２）に結合された第３の選択フィルタ（フィルタ３）とを含む、
請求項１２に記載の方法。
【請求項１４】
前記ＨＬＬＢ経路（２０２）が、前記第２の選択フィルタ（フィルタ２）と前記第３の選択フィルタ（フィルタ３）との間に結合された光減衰器（減衰器１）を含む、請求項１３に記載の方法。
【請求項１５】
前記第１の選択フィルタ（フィルタ１）および前記第３の選択フィルタ（フィルタ３）が、第１の波長（λ１）を有する試験信号を反射することを行うように構成され、前記第２の選択フィルタ（フィルタ２）が、第２の波長（λ1）を有する試験信号を反射することを行うように構成された、請求項１３に記載の方法。
【発明の詳細な説明】
【技術分野】
【０００１】
本出願は、通信システムに関し、より詳細には、光通信システムにおける欠陥識別に関する。
【背景技術】
【０００２】
長距離光通信システムでは、システムの健全性を監視することが重要な場合がある。例えば、光伝送ケーブル内の欠陥もしくは破損、故障しがちなリピータもしくは増幅器、および／またはシステムに関連するその他の問題を検出するために監視を使用することが可能である。
【０００３】
一般に、知られている監視技法は、例えば、様々な波長で、１つまたは複数のＬＭＥ試験信号を生成する回線監視装置（ＬＭＥ）の使用を含む。ＬＭＥは、例えば、波長分割多重（ＷＤＭ）システムにおいて、情報信号と共に試験信号を送信することができる。増幅器内またはリピータ内で高損失ループバック（ＨＬＬＢ）経路を介してこれらの試験信号を回線監視装置に戻すことが可能である。ＬＭＥは、次いで、戻された試験信号をデータ信号から分離し、戻された試験信号を処理して、光経路（ｏｐｔｉｃａｌ  ｐａｔｈ）を特徴付けるための測定基準として、戻された試験信号の特性を表すデータを取得することができる。
【０００４】
１つのそのような監視技法は、光学時間領域反射率測定（ｏｐｔｉｃａｌ  ｔｉｍｅ  ｄｏｍａｉｎ  ｒｅｆｌｅｃｔｏｍｅｔｒｙ）（ＯＴＤＲ）装置および技法の使用に関する。従来のＯＴＤＲ技法によれば、ＬＭＥは、例えば、光パルス、または、特別に変調された光搬送波でありうるＯＴＤＲ試験信号を生成し、ＯＴＤＲ試験信号を経路対のアウトバウンド光経路内に放つ。アウトバウンド経路内の要素は、ＯＴＤＲ試験信号の一部を反射（例えば、後方散乱）することができる。後方散乱された信号部分を（例えば、同じアウトバウンド経路上で、またはＨＬＬＢを介した結合によるインバウンド経路などの異なる経路上で）戻し、ＬＭＥ内で検出することが可能である。経路内のそれぞれの要素の伝送特性は、例えば、試験信号または反射信号を減衰することによって、その要素の後の地点で反射された信号の量に影響を及ぼす可能性もある。光経路に沿ってそれぞれの要素もしくは地点から後方散乱または反射された信号の大きさを、光経路を特徴付けるための測定基準として使用することが可能である。
【０００５】
ＯＴＤＲ技法は、コヒーレント光学時間領域反射率測定法（ＣＯＴＤＲ）を含む。ＣＯＴＤＲは、その試験信号に関する専用光変調方式と、受信機感度を改善するためのコヒーレント光検出受信機とを使用する。改善された感度は、非常に低いレベルの後方散乱信号の測定を可能にし、これにより、ファイバがＣＯＴＤＲ装置から離れた（例えば、光増幅器の後方の）光経路の一部の中にある場合でも、非常に長い光ファイバの検査を可能にする。伝送経路内の光ファイバからのレイリー後方散乱はＯＴＤＲまたはＣＯＴＤＲによって検出され得るため、システム監視のためのこの手法は、ユーザがリピータ間のファイバを検査することを可能にする診断ツールを提供する。
【０００６】
別の知られている回線監視技法は、システム内のＨＬＬＢ経路を介した試験信号のループゲインの検査を含む。この手法では、ＬＭＥは、例えば、疑似ランダムビットシーケンスを表す、１つまたは複数のＬＭＥ試験信号を送信することができる。それぞれの増幅器内またはリピータ内の高損失ループバック（ＨＬＬＢ）経路を介して、これらの試験信号を回線監視装置に戻すことが可能である。ＬＭＥは、次いで、それらの戻された試験信号を処理して、ＬＭＥから伝搬してＨＬＬＢ経路および何らかの介在する光経路ならびに増幅器を介してＬＭＥに戻す際に試験信号に付与されたＨＬＬＢループゲインを表すデータを取得することができる。ＨＬＬＢループゲイン内の著しい偏差は、システム内の欠陥を示す場合がある。
【０００７】
ＯＴＤＲ技法およびループゲイン監視技法は、近代の長距離通信システムの需要の課題を抱えている。例えば、海底光ケーブルシステムおよびその他のそのような長距離通信システムのコストは、システム内のリピータの数によって相当な影響を受ける。したがって、リピータの数を削減するために、リピータ間の間隔を拡大したいとする要望が継続的に存在する。高度変調フォーマットの導入などの改善により可能最大リピータスパンは高まったが、ＯＴＤＲ装置の機能は、それに合わせる形では改善しなかった。一部のシステムでは、ＯＴＤＲ装置の及ぶ範囲は、９０キロメートル内に限られる場合があり、その結果、リピータスパンのおよそ半分しか測定可能になり得ない。さらに、一部のシステムにおける高損失ループバック（ＨＬＬＢ）経路では、発信方向からの反射レイリー信号を測定することしか可能にならず、これは、これらの経路が、リピータの一方の増幅器出力からリピータの他方の増幅器出力に接続する１つの経路をしか有していないためである。したがって、一部の従来のアーキテクチャは、着信ファイバ経路からのレイリー信号を測定することができない場合がある。
【０００８】
ループゲイン測定結果に関して、リピータ・ポンプ・パワー損失および増大したファイバスパン損失が、正常値からのＨＬＬＢループゲイン偏差をもたらす主な故障メカニズムであり得ることが知られている。知られているシステムでは、例えば、事前定義された警報しきい値を超えるＨＬＬＢループゲイン内の著しい変動は、システム警報をトリガする場合がある。そのようなシステムにおける警報しきい値の選択には、通常のシステム変動および測定誤差と実際の伝送経路欠陥との区別が必要である場合がある。残念ながら、この区別は困難な場合があるが、これは、一部のＨＬＬＢループゲイン測定値が、一部、リピータループバック出力間（ｏｕｔｐｕｔ−ｔｏ−ｏｕｔｐｕｔ）アーキテクチャ、ならびにリピータ増幅器内の利得機構、例えば、自己利得規制により、伝送経路内の物理的な変化に一般に鈍感な場合があるためである。結果として、そのようなシステム内の非破壊的故障に関する実際の経路変更は、結果として、通常の測定誤差およびシステム変動を考慮すると、単にわずかに検出可能なＨＬＬＢループゲイン変更を一部のシステム内にもたらす可能性がある。
【０００９】
ＯＴＤＲの限定された範囲に対処するための１つの構成は、その教示が参照により本明細書に組み込まれている、「Ｈｉｇｈ  Ｌｏｓｓ  Ｌｏｏｐ  Ｂａｃｋ  ｆｏｒ  Ｌｏｎｇ  Ｒｅｐｅａｔｅｒ  Ｓｐａｎｓ」という表題の米国特許第８，００９，９８３号（‘９８３特許）に記述されている。‘９８３特許は、ＯＴＤＲ試験信号の双方向伝送がＯＴＤＲを使用して最大測定可能スパン長を二倍にするのを可能にするＨＬＬＢ構成を記述する。ループゲイン監視技法の感度に対処するための１つの構成は、その教示が参照により本明細書に組み込まれている、「Ｓｙｓｔｅｍ  ａｎｄ  Ｍｅｔｈｏｄ  ｆｏｒ  Ｆａｕｌｔ  Ｉｄｅｎｔｉｆｉｃａｔｉｏｎ  ｉｎ  Ｏｐｔｉｃａｌ  Ｃｏｍｍｕｎｉｃａｔｉｏｎ  Ｓｙｓｔｅｍｓ」という表題の米国特許第８，１３５，２７４号（‘２７４特許）に記述されている。‘２７４特許は、ループゲイン測定値の感度を増大して、ループゲイン測定値を所定のゲインシグナチャ（ｇａｉｎ  ｓｉｇｎａｔｕｒｅ）と比較して、システム欠陥を識別するＨＬＬＢ構成を記述する。しかし、残念ながら、ＯＴＤＲの限定された範囲に対処するための、‘９８３特許に記述されたＨＬＬＢ構成は‘２７４特許に記述されたループゲイン感度の改善を提供せず、増大したループゲイン感度を達成するための、‘２７４特許に記述されたＨＬＬＢ構成は、‘９８３特許に記述されたＯＴＤＲ範囲の改善をサポートしていない。
【先行技術文献】
【特許文献】
【００１０】
【特許文献１】米国特許第８，００９，９８３号
【特許文献２】米国特許第８，１３５，２７４号
【００１１】
類似の番号が類似の部分を表す、以下の図面と共に読むべき、以下の詳細な説明を参照すべきである。
【図面の簡単な説明】
【００１２】
【図１】本開示の一実施形態に一致して構成されたシステムのブロック図である。
【図２ａ】本開示の一実施形態に一致して構成された、図１のシステムに示されたリピータのブロック図である。
【図２ｂ】本開示の一実施形態に一致する、図２ａのリピータを介した発信ＯＴＤＲ試験信号の経路と、発信ファイバ経路からの反射レイリー信号とを例示する図である。
【図２ｃ】本開示の一実施形態に一致する、図２ａのリピータを介した着信ＯＴＤＲ試験信号の経路と、着信ファイバ経路からの反射レイリー信号とを例示する図である。
【図２ｄ】図２ａのリピータを介したループバック試験信号の経路を例示する図である。
【図３】本開示に一致する一例示的システムにおける、ループゲインの変化と、リピータ・ポンプ・パワーの３ｄＢ低減に関連するリピータループバック数との間の関係の例示的なシミュレーションのグラフである。
【図４】本発明の光通信システムを監視する方法の流れ図である。
【発明を実施するための形態】
【００１３】
図１は、本開示のある実施形態に一致するように構成されたシステム１００のブロック図である。分かるように、システム１００は、伝送経路１０２を形成するために一般に行われるように、光ファイバを経由して動作可能に結合されたＮ個のリピータ（リピータ１、リピータ２、…、リピータＮ）を含む。「結合された」または「動作可能に結合された」という用語は、本明細書で使用される場合、それによって、１つのシステム要素によって伝搬される信号が１つもしくは複数の「結合された」要素に付与される任意の接続、結合、リンクなどを指す。そのような「結合された」デバイスは、互いと必ずしも直接的に接続されず、そのような信号を操作もしくは修正することができる中間構成要素または中間デバイスによって分離可能である。
【００１４】
リピータはリピータスパンによって分離される。例えば、リピータ１とリピータ２との間のスパンは、スパン部分１、２、３、および４を含む。スパン部分１、２、３、および４は、それぞれ、スパン長全体の一部を表し、１つの特定の事例では、それぞれのスパン部分はリピータ間の距離のおよそ半分を表す。
【００１５】
リピータ１、…、Ｎのアーキテクチャの１つの利点は、このアーキテクチャが、（その全体が９０キロメートルを超える）長いリピータスパンのＯＴＤＲ監視を円滑にすると同時に、また、ループゲインを敏感に監視することを円滑にするために使用可能なことである。本開示に照らして理解されるように、本明細書に記載される技法およびアーキテクチャは、幅広い種類のネットワーク構成要素およびネットワーク構成と共に使用可能であり、所与のシステムは、複数のリピータ、様々な長さのスパン、および／またはシステムの端末における送受信機など、その他の構成要素を含むことが可能である。本開示の実施形態は、任意の特定の構成要素および／または構成に限定されることが意図されない。
【００１６】
図１に示された例示的なシステムをさらに参照すると、システムのそれぞれの端末に配備された回線監視装置（ＬＭＥ１およびＬＭＥ２）によって試験信号を伝送経路１０２に提供することができる。試験信号は、ＯＴＤＲ試験信号とループゲイン試験信号とを含むことが可能である。ＯＴＤＲ試験信号は、伝送経路によって反射されて、１つまたは複数のリピータ内の高損失ループバック経路（ＨＬＬＢ）を介してそれぞれのＬＭＥに戻される。ループゲイン試験信号は、ループバック信号として、１つまたは複数のリピータ内のＨＬＬＢを介して、それぞれのＬＭＥに戻される。
【００１７】
ＬＭＥ１およびＬＭＥ２のそれぞれは、反射信号および／またはループバック信号を解析するための従来の技術を用いて実施可能であり、１つの特定の実施形態では、詳細には、実際のデータトラフィックが存在しないとき（いわゆる、「非稼働中モード」）に試験を実行するのではなく、システム使用（いわゆる「稼働中モード」）の間に試験を実行することが所望される場合、これらＬＭＥ１とＬＭＥ２の両方の信号は、（例えば、波長分割多重信号の）実際のデータ信号に干渉しないように、リピータの通過帯域の縁において波長上に試験信号を提供することができる。一般に、かつ先に説明されたように、反射信号（例えば、レイリー信号）およびループバック信号は、監視システムが、光経路に関連するループゲインなどのパラメータを計算すること、または、そうでない場合、試験信号が進む光経路を評価することを可能にする情報を含む。ループゲインまたはその他の関連パラメータの変化を使用して、システム内の欠陥を示す警報を生成することが可能である。
【００１８】
ＬＭＥ１の観点から、発信ファイバ経路はスパン部分１および２を含み、着信ファイバ経路はスパン部分４および３を含む。ＬＭＥ２の観点から、発信ファイバ経路はスパン部分４および３を含み、着信ファイバ経路はスパン部分１および２を含む。本開示のある実施形態に一致して、本開示に一致するＨＬＬＢアーキテクチャは、それぞれのＬＭＥが、試験信号の光周波数を調整することによって、発信ファイバ経路または着信ファイバ経路のいずれかから反射されたレイリー信号を選択するのを可能にする。例えば、ＬＭＥ１はスパン部分１および３を測定することが可能であり、ＬＭＥ２はスパン部分２および４を測定することが可能である。したがって、監視システムの総測定範囲は、両方の通信方向においてリピータスパン全体をカバーする。例えば、稼働中モードによって、非常に高い空間分解能（約１００ｍ）を用いて着信（すなわち、インバウンド）ＯＴＤＲを測定することができ、非稼働中モードによって、発信（すなわち、アウトバウンド）ＯＴＤＲを測定することができる。マルチパス干渉（ＭＰＩ）および相対強度雑音（ＲＩＮ）は従来のＨＬＬＢアーキテクチャに相当する。
【００１９】
加えて、このＨＬＬＢアーキテクチャは、特定の波長を有するループゲイン試験信号が、それぞれのリピータを介して試験信号を送信したＬＭＥにループバックされることを可能にする。それぞれのＬＭＥの観点から、ＨＬＬＢは、発信ファイバ経路上の増幅器の出力を着信ファイバ経路上の増幅器の入力に結合する。ループバック信号から導出されたループゲインデータを所定の欠陥シグナチャと比較することによって欠陥解析を達成することができる。
【００２０】
図２ａは、図１のシステム内に示され、本開示のある実施形態と一致するように構成されたリピータのブロック図である。示されるように、リピータは、増幅器の対（増幅器ＡおよびＢ）と、４個の光結合器（結合器１、２、３、および４）と、２個の光減衰器（減衰器１および減衰器２）と、６個の波長選択フィルタ（フィルタ１、２、３、４、５、および６）とを含む。増幅器ＡおよびＢ、光結合器１、２、３、および４、減衰器１および２、ならびにフィルタ１、２、３、４、５、および６は、従来の技術を用いて実施可能であり、動作波長範囲、電力レベル、リピータ間のスパン長などの事項を考慮すると、手近な用途に適したファイバ技術および接続技術を使用して動作可能に結合可能である。増幅器ＡおよびＢは、例えば、１つもしくは複数のエルビウム添加光ファイバ増幅器（ＥＤＦＡ）またはその他の希土類添加光ファイバ増幅器、ラマン増幅器、あるいは半導体光増幅器を用いて実施可能であり、１段構成または２段構成で実現可能である。フィルタ１、２、３、４、５、および６は、それぞれ、様々な、知られているフィルタ構成のうちのいずれかを利用することができ、１つの特定の実施形態では、ファイバブラッググレーティングフィルタ（ｆｉｂｅｒ  Ｂｒａｇｇ  ｇｒａｔｉｎｇ  ｆｉｌｔｅｒ）として実施される。
【００２１】
示された例示的な構成は、第１のＨＬＬＢ経路２０２と第２のＨＬＬＢ経路２０４とを含む。第１のＨＬＬＢ経路２０２は、増幅器Ａの出力を増幅器Ｂの入力に結合する。第２のＨＬＬＢ経路２０４は、増幅器Ｂの出力を増幅器Ａの入力に結合する。
【００２２】
第１のＨＬＬＢ経路２０２は、結合器１および２と、フィルタ１、２、および３と、減衰器１とを含む。結合器１は発信ファイバ経路に結合され、結合器２は着信ファイバ経路に結合される。結合器１は、図２ａで、それぞれ、１および２とラベル付けされた第１のポートならびに第２のポートを有し、結合器２は、図２ａで、それぞれ、１および２とラベル付された第１のポートならびに第２のポートを有する。結合器１の第１のポートは結合器２の第１のポートに結合される。フィルタ１は結合器１の第２のポートに結合される。フィルタ２は結合器２の第２のポートに結合されて、フィルタ３は減衰器１を介してフィルタ２に結合される。
【００２３】
第１のＨＬＬＢ経路２０２は、増幅器Ａの出力において発信ファイバ経路上で伝搬する、ＬＭＥ１（図１）からの試験信号を増幅器Ｂの入力において着信ファイバ経路に結合する。第１のＨＬＬＢ経路が発信ファイバ経路からの試験信号を着信ファイバ経路に結合する様式は、進行の方向（すなわち、発信または着信）と試験信号の波長とに依存する。
【００２４】
説明を容易にするために、図２ａ〜図２ｄに示される矢印は、ＬＭＥ１（図１）に関する着信ファイバ経路上および発信ファイバ経路上の信号の伝搬の方向を例示する。示されるように、信号は、増幅器Ａの出力に向けた着信方向、または増幅器Ａの出力から離れる発信方向に発信ファイバ経路上で伝搬することができる。同様に、信号は、増幅器Ｂの入力に向けた着信方向、または増幅器Ｂの入力から離れる発信方向に着信ファイバ経路上で伝搬することも可能である。当然、ＬＭＥ２（図１）に関して、これらの方向は反転されることになる。
【００２５】
増幅器Ａの出力から結合器に向けて発信方向に伝搬する信号は、結合器１によって第１のＨＬＬＢ経路２０２上に結合されて、フィルタ１に送られる。フィルタ１は、所望の波長の試験信号だけを反射して、すべてのその他の試験信号を終了させるように構成される。この特定の例では、フィルタ１は、波長λ１を有する試験信号を反射して、すべてのその他の試験信号を終了させる。
【００２６】
フィルタ１によって反射された波長λ１を有する試験信号は、増幅器Ｂの入力において結合器２に送られる。結合器２は、フィルタ１によって反射された信号の一部（例えば、総光パワー（ｔｏｔａｌ  ｏｐｔｉｃａｌ  ｐｏｗｅｒ）の２％）を発信方向、すなわち、増幅器Ｂから離れる方向に着信ファイバ経路内に注入する。結合器２は、フィルタ１によって反射された信号の残りの部分をフィルタ２に導く。フィルタ２の出力は、減衰器１、例えば、１０ｄＢ減衰器の入力に結合され、減衰器１の出力はフィルタ３に結合される。フィルタ２は、所望の波長の試験信号を反射して、すべてのその他の試験信号を送ることを行うように構成される。この特定の例では、フィルタ２は、波長λ１とは異なる波長である波長λ２（すなわち、λ１≠λ２）を有する試験信号を反射して、すべてのその他の信号を減衰器１に送る。減衰器１は、フィルタ２を通過する信号を減衰して、減衰信号をフィルタ３に送る。フィルタ３は、所望の波長（または、波長の範囲）の信号を反射して、すべてのその他の波長を送ることを行うように構成される。この特定の例では、フィルタ３は、波長λ１を有する試験信号を反射して、すべてのその他の信号を終了させる。フィルタ３によって反射された、波長λ１を有する信号は、フィルタ２を介して減衰器１を再度通過して、その一部（例えば、総光パワーの２％）は着信方向、すなわち、増幅器Ｂの入力に向けた方向に着信ファイバ経路内に注入される。
【００２７】
発信ファイバ経路上で着信方向に伝搬するレイリー反射信号は、結合器１によって第１のＨＬＬＢ経路２０２上に結合されて、フィルタ１上に付与されずに、結合器２に送られる。結合器２は、信号の一部（例えば、総光パワーの２％）を発信方向、すなわち、増幅器Ｂから離れる方向に着信ファイバ経路内に注入する。結合器２は、信号の残りの部分をフィルタ２に導く。フィルタ２は、波長λ２を有する試験信号を反射して、すべてのその他の信号を減衰器１に送る。減衰器１は、フィルタ２を通過する信号を減衰して、減衰信号をフィルタ３に送る。フィルタ３は、波長λ１を有する試験信号を反射して、すべてのその他の信号を終了させる。フィルタ３によって反射された、波長λ１を有する試験信号は、フィルタ２を介して再度減衰器１を通過し、その一部（例えば、総光パワーの２％）は着信方向に着信ファイバ経路内に注入される。
【００２８】
ＯＴＤＲを使用して（ＬＭＥ１の観点から）発信ファイバ経路を監視するとき、図２ｂを参照して議論されるように、ＬＭＥ１から送信された、波長λ２を有する試験信号は発信ファイバ経路を下方に伝搬して、発信ファイバ経路によって反射される。波長λ２を有する反射レイリー信号波長は、着信方向に結合器１に戻される。結合器１は、（まさに説明されたように）波長λ２を有する反射信号の一部をリピータの第１のＨＬＬＢ経路２０２上に結合する。第１のＨＬＬＢ経路２０２上の、波長λ２を有する反射信号の一部はフィルタ２によって反射されて、結合器２によって着信方向に着信ファイバ経路上に結合されて、必要に応じて、適切な措置（例えば、ファイバの修理）を講じることができるように、解析のためにＬＭＥ１に戻される。
【００２９】
ＯＴＤＲを使用して（ＬＭＥ１の観点から）着信ファイバ経路を監視するとき、図２ｃを参照して議論されるように、ＬＭＥ１からの、波長λ１を有する試験信号は、発信方向に発信ファイバ経路を下方に伝搬して、その一部は、フィルタ１に向けて、結合器１によってリピータの第１のＨＬＬＢ経路２０２上に結合される。波長λ１を有する試験信号はフィルタ１によって結合器２に反射され、結合器２は、その一部を発信方向に着信ファイバ経路上に注入する。試験信号は着信ファイバ経路によって反射される。波長λ１を有する反射レイリー信号波長は、着信方向に着信ファイバ経路上に伝搬して、必要に応じて、適切な措置（例えば、ファイバの修理）を講じることができるように、解析のためにＬＭＥ１に戻される。
【００３０】
ＬＭＥ１を使用してループゲイン解析を実行するとき、図２ｄを参照して議論されるように、ＬＭＥ１からの、波長λ１を有する試験信号は、発信方向に発信ファイバ経路を下方に伝搬して、その一部は、フィルタ１に向けて、結合器１によってリピータの第１のＨＬＬＢ経路２０２上に結合される。波長λ１を有する試験信号はフィルタ１によって結合器２に反射されて、結合器２はその一部をフィルタ２と減衰器１とを介して送る。フィルタ３は波長λ１を有する試験信号を減衰器１とフィルタ２とを介して反射し戻して、結合器２はその一部を着信方向に着信ファイバ経路上に注入する。波長λ１を有する試験信号は、必要に応じて、適切な措置（例えば、ファイバの修理）を講じることができるように、解析のためにループバック信号としてＬＭＥ１に戻される。ループバック信号は、したがって、減衰器１によって２回減衰される。
【００３１】
第２のＨＬＬＢ経路２０４は、結合器３および４と、フィルタ４、５、および６と、減衰器２とを含む。結合器３は、それぞれ、１および２とラベル付けされた第１のポートならびに第２のポートを有し、結合器４は、それぞれ、１および２とラベル付けされた第１のポートならびに第２のポートを有する。結合器３の第１のポートは、結合器４の第１のポートに結合される。フィルタ４は結合器３の第２のポートに結合される。フィルタ５は結合器４の第２のポートに結合されて、フィルタ６は減衰器２を介してフィルタ５に結合される。概して、第２のＨＬＬＢ経路２０４は増幅器Ｂの出力においてＬＭＥ２（図１）から伝搬する試験信号を増幅器Ａの入力に結合することを除いて、第２のＨＬＬＢ経路２０４は、第１のＨＬＬＢ経路２０２に関して上で説明されたのと同じように動作する。図２ａ〜図２ｃの着信ファイバ経路および発信ファイバ経路はＬＭＥ１に関してラベル付けされている点に留意されたい。これらのラベルは、ＬＭＥ２を往復して伝搬する試験信号に関して反転されることになる。
【００３２】
例えば、反転されたラベルを念頭において、ＯＴＤＲを使用して（ＬＭＥ２の観点から）発信ファイバ経路を監視するとき、ＬＭＥ２からの、波長λ２を有する試験信号は、結合器２と、増幅器Ｂと、結合器３とを介して伝搬する。波長λ２を有する反射レイリー信号波長は結合器３に戻される。結合器３は、波長λ２を有する反射信号の一部を第２のＨＬＬＢ経路２０４上に結合する。ＨＬＬＢ経路２０４上の、波長λ２を有する反射信号の一部は、フィルタ５によって反射されて、結合器４によって着信ファイバ経路上に結合されて、必要に応じて、適切な措置（例えば、ファイバの修理）を講じることができるように、解析のためにＬＭＥ２に戻される。
【００３３】
ＯＴＤＲを使用して（ＬＭＥ２の観点から）着信ファイバ経路を監視するとき、ＬＭＥ２からの、波長λ１を有する試験信号の一部は、フィルタ４に向けて、結合器３によって第２のＨＬＬＢ経路２０４上に結合される。波長λ１を有する試験信号は、フィルタ４によって結合器４に反射され、結合器４はその一部を（ＬＭＥ２の観点から）発信方向に着信ファイバ経路上に注入する。波長λ１を有する反射レイリー信号波長は、必要に応じて、適切な措置（例えば、ファイバの修理）を講じることができるように、解析のためにＬＭＥ２に戻される。
【００３４】
ＬＭＥ２を使用してループゲイン解析を実行するとき、ＬＭＥ２からの、波長λ１を有する試験信号の一部は、フィルタ４に向けて、結合器３によって第２のＨＬＬＢ経路２０４上に結合される。波長λ１を有する試験信号は、フィルタ４によって結合器４に反射されて、結合器４はその一部をフィルタ５と減衰器２とを介して送る。フィルタ６は、波長λ１を有する試験信号を減衰器２とフィルタ５とを介して反射し戻し、結合器４はその一部を（ＬＭＥ２の観点から）着信方向に着信ファイバ経路上に注入する。波長λ１を有する試験信号は、必要に応じて、適切な措置（例えば、ファイバの修理）を講じることができるように、解析のためにＬＭＥ２に戻される。ＬＭＥ２から伝搬するループバック信号は、したがって、減衰器２によって２回減衰される。
【００３５】
図２ｂおよび２ｃは、ＬＭＥ１（図１）の観点から、それぞれ、発信ＯＴＤＲ測定および着信ＯＴＤＲ測定を実行するときの、図２ａで示されたリピータの動作を例示する。図２ｂにおいて破線で示されているように、発信ファイバ経路のＯＴＤＲ試験を実行するために、ＬＭＥ１から送信された、波長λ２を有する発信ＯＴＤＲ試験信号は、発信方向に結合器４と、増幅器Ａと、結合器１とを通過する。波長λ２を有する発信ＯＴＤＲ試験信号は発信ファイバ経路によって反射されて、発信ファイバ経路上で着信方向に伝搬する、波長λ２を有する反射レイリー信号の一部は、結合器１を通過して、フィルタ２によって反射されて、その一部は着信方向に着信ファイバ経路内に注入される。反射レイリー信号は増幅器Ｂと結合器３とを介してＬＭＥ１に戻される。反射レイリー信号は、図２ｂにおいて指定された発信ＯＴＤＲ信号である。有利には、第１のＨＬＬＢ経路２０２は増幅器Ａの出力を増幅器Ｂの入力に結合するため、結合器２および４を通過することに起因する、発信ＯＴＤＲ試験信号の減衰は、増幅器Ｂによって少なくとも部分的に補償される。
【００３６】
図２ｃにおいて破線で示されるように、着信ファイバ経路のＯＴＤＲ試験を実行するために、波長λ１を有する着信ＯＴＤＲ試験信号は発信方向にＬＭＥ１から送信されて、結合器４と増幅器Ａとを通過する。その一部は、結合器１によって第１のＨＬＬＢ経路２０２上に結合される。波長λ１を有する着信ＯＴＤＲ試験信号は、フィルタ１によって反射されて、結合器２に送られ、結合器２は、その一部を発信方向に着信ファイバ経路内に注入する。波長λ１を有する着信ＯＴＤＲ試験信号は、着信ファイバ経路によって反射されて、波長λ１を有する反射レイリー信号は、結合器２と、増幅器Ｂと、結合器３とを介して、着信方向にＬＭＥ１に戻される。反射レイリー信号は、図２ｃにおいて指定された着信ＯＴＤＲ信号である。有利には、第１のＨＬＬＢ経路２０２は増幅器Ａの出力を増幅器Ｂの入力に結合するため、結合器２および４を通過することに起因する、着信ＯＴＤＲ試験信号の減衰は、増幅器Ｂによって少なくとも部分的に補償される。
【００３７】
図２ｄは、ＬＭＥ１（図１）の観点から、ループバック測定を実行するときの、図２ａに示されたリピータの動作を例示する。図２ｄにおいて破線で示されるように、ループバック試験を実行するために、波長λ１を有するループバック試験信号は、発信方向にＬＭＥ１から送信されて、結合器４と増幅器Ａとを通過する。その一部は、結合器１によって第１のＨＬＬＢ経路２０２上に結合される。波長λ１を有するループバック試験信号は、フィルタ１によって反射されて、結合器２に送られる。ループバック試験信号は、フィルタ２と減衰器１とを通過して、フィルタ３によって減衰器１とフィルタ２とを介して反射し戻される。結合器２は、フィルタ２を通過し戻されるループバック試験信号の一部を着信方向に着信ファイバ経路内に注入する。波長λ１を有するループバック試験信号は、ループバック信号として、増幅器Ｂと結合器３とを介して、ＬＭＥ１に戻される。有利には、ループバック信号は減衰器１を２回通過するため、ループバック信号は、ＯＴＤＲ試験信号と対照的に、第１のＨＬＬＢ経路２０２によってかなり減衰される。減衰器１は、例えば、１０ｄＢ減衰器であってもよい。
【００３８】
図２ａ〜図２ｄに示される例示的な実施形態では、結合器２および４は、増幅器ＡおよびＢのそれぞれの入力において９８％から２％の結合器を用いてそれぞれ実施され、結合器１および３は、増幅器ＡおよびＢのそれぞれの出力において９０％から１０％の結合器をそれぞれ用いて実施される。リピータの増幅器ＡおよびＢの入力において２％の結合器を選択することは、光構成要素を追加することによる低雑音指数ペナルティ（ｌｏｗ  ｎｏｉｓｅ  ｆｉｇｕｒｅ  ｐｅｎａｌｔｙ）を可能にするためである。本開示と一致するシステムにおいて、入力において１０％以上の結合器を使用することができるが、これはおよそ０．４ｄＢの追加の挿入損失を引き起こす可能性がある。したがって、結合器２および４は、それに応じて、システム需要に応じて、選択され得る。
【００３９】
これにより、本開示と一致するシステムは、いずれかの方向から（すなわち、ＬＭＥ１またはＬＭＥ２から）の着信ファイバ経路と発信ファイバ経路の両方のＯＴＤＲ試験、ならびにいずれかの方向からのループゲイン測定を円滑にする。リピータを介して受信されたループバック信号をループバック信号に関連して送信された試験信号の複写と比較することによって、それぞれのリピータに関連するループゲインデータを計算することができる。いずれかのリピータに関するループゲインは、ＬＭＥから、リピータに関連するＨＬＬＢ経路を介して、ＬＭＥに戻される試験信号に付与された利得および損失を表すことが可能である。本開示と一致するシステムは、やはり、または代替で、システム欠陥を解析する際に微分ループゲインデータを利用することが可能である。リピータ（例えば、図１のリピータ２）に関連するループゲインから前のリピータ（例えば、図１のリピータ１）に関連するループゲインを差し引いて、それぞれのリピータに関する微分ループゲインを計算することが可能である。
【００４０】
一方の経路上の増幅器の出力を反対側の経路上の増幅器の入力に結合する、本開示に一致するＨＬＬＢ経路を提供することは、一方の経路上の増幅器の出力を他方の経路上の増幅器の出力に結合するＨＬＬＢ経路と比較して、余剰ポンプ損失および余剰ファイバ損失に対する増大した感度と、インバウンドファイバ損失およびアウトバウンドファイバ損失に対するより高い分解性とを提供する。結果として、関連する増幅器によって付与される利得の完全な削減または部分的な削減をもたらす、リピータ内の増幅器ポンプレーザの完全な故障または部分的な故障によって余剰ポンプ損失を特徴付けることができる。余剰ファイバ損失は、例えば、リピータ間のスパン内のファイバ経路を介した伝送の追加損失または完全な損失によって発生する場合があり、これらによって余剰ファイバ損失を特徴付けることができる。
【００４１】
図３は、例えば、ループゲインの変化と、関連するループバック経路Ｒ１からＲ１４を有する１４個のリピータを含み、かつＲ７に関連するリピータにおけるリピータ・ポンプ・パワー内の３ｄＢ低減、すなわち、余剰ポンプ損失を含む、システムに関連するリピータループバック数との間の関係の例示的なシミュレーションプロット３００を含む。プロット３０２は、システムが第１の方向に信号を増幅する第１の増幅器の出力を第１の方向と反対の第２の方向に信号を増幅する第２の増幅器の出力に結合するためのＨＬＬＢ経路で構成されるときの、ループゲインの変化とループバック数との間の関係を例示する。プロット３０４は、システムが、第１の方向に信号を増幅する第１の増幅器（例えば、増幅器Ａ）の出力を第１の方向とは反対の第２の方向に信号を増幅する第２の増幅器（例えば、増幅器Ｂ）の入力に結合するための、本開示と一致するＨＬＬＢ経路、例えば、経路２０２、２０４で構成されるときの、ループゲインの変化とループバック数の間の関係を例示する。示されるように、リピータ・ポンプ・パワーの３ｄＢ低減は、本開示と一致するＨＬＬＢを使用する（すなわち、システムが増大した感度を有する）とき、結果として、ループゲイン内にはるかに大きな変化をもたらす場合がある。
【００４２】
図４は、本開示と一致する、発信ファイバ経路と着信ファイバ経路とを含む光通信システムを監視する方法４００の一例を示す流れ図である。例示される流れ図は、ステップの特定の順序を含むとして示され、かつ説明される場合がある。しかし、これらのステップの順序は、本明細書で説明される概括的な機能性がどのように実施され得るかの、ある例を提供するに過ぎない点を理解されたい。別段の記載がない限り、これらのステップは、提示される順番で実行されなくてもよい。
【００４３】
例示される方法４００では、発信光学時間領域反射率測定（ＯＴＤＲ）試験信号と、着信ＯＴＤＲ試験信号と、ループバック試験信号とを含む試験信号が回線監視装置（ＬＭＥ）から発信ファイバ経路上に送信される４０２。試験信号の少なくとも一部は、リピータを介して、発信ファイバ経路から着信ファイバ経路に結合される４０４。リピータは、入力および出力を有し、光信号を増幅するための第１の増幅器と、入力および出力を有し、光信号を増幅するための第２の増幅器と、第１の増幅器の出力を第２の増幅器の入力に結合するための高損失ループバック（ＨＬＬＢ）経路とを含む。この方法は、ＬＭＥにおいて、着信ファイバ経路から、発信ＯＴＤＲ試験信号に応答して、発信ＯＴＤＲ信号を受信し、着信ＯＴＤＲ試験信号に応答して、着信ＯＴＤＲ信号を受信し、ループバック試験信号に応答して、ループバック信号を受信するステップ４０６をさらに含む。次いで、光通信システム内の欠陥を監視するために、発信ＯＴＤＲ信号と、着信ＯＴＤＲ信号と、ループバック信号とが解析される４０８。
【００４４】
本開示の一態様によれば、これにより、所与の通信方向に対して着信ファイバ経路と発信ファイバ経路とを動作可能に結合することが可能な、光通信システムのためのリピータが提供される。このリピータは、入力および出力を有し、光信号を増幅するための第１の増幅器と、入力および出力を有し、光信号を増幅するための第２の増幅器と、第１の増幅器の出力を第２の増幅器の入力に結合するための第１の高損失ループバック（ＨＬＬＢ）経路とを含む。第１のＨＬＬＢ経路は、第１の回線監視装置（ＬＭＥ）からの、発信ファイバ経路から反射された発信光学時間領域反射率測定（ＯＴＤＲ）試験信号を着信方向に着信ファイバ経路に結合することと、第１のＬＭＥからの着信ＯＴＤＲ試験信号を発信方向に着信ファイバ経路に結合することと、第１のＬＭＥからのループバック試験信号を着信方向に着信ファイバ経路に結合することとを行うように構成される。
【００４５】
本開示の別の態様によれば、光伝送経路を提供するように動作可能に結合された複数のリピータを含む光通信システムが提供される。リピータのそれぞれは、入力および出力を有し、光信号を増幅するための第１の増幅器と、入力および出力を有し、光信号を増幅するための第２の増幅器と、第１の増幅器の出力を第２の増幅器の入力に結合するための第１の高損失ループバック（ＨＬＬＢ）経路と、第２の増幅器の出力を第１の増幅器の入力に結合するための第２のＨＬＬＢ経路とを含む。第１のＨＬＬＢ経路および第２のＨＬＬＢ経路のそれぞれは、関連する発信ファイバ経路から反射された、関連する発信光学時間領域反射率測定（ＯＴＤＲ）試験信号を関連する着信方向に関連する着信ファイバ経路に結合することと、関連する着信ＯＴＤＲ試験信号を関連する発信方向に関連する着信ファイバ経路に結合することと、関連するループバック試験信号を関連する着信方向に関連する着信ファイバ経路に結合することとを行うように構成される。このシステムは、関連する発信ＯＴＤＲ試験信号と、関連する着信ＯＴＤＲ試験信号と、関連するループバック試験信号とに応答して、第１のＨＬＬＢ経路を介して第１の回線監視装置（ＬＭＥ）に戻された信号を解析するために光伝送経路の第１の終端に動作可能に結合された第１のＬＭＥと、関連する発信ＯＴＤＲ試験信号と、関連する着信ＯＴＤＲ試験信号と、関連するループバック試験信号とに応答して、第２のＨＬＬＢ経路を介して第２の回線監視装置（ＬＭＥ）に戻された信号を解析するために光伝送経路の第２の終端に動作可能に結合された第２のＬＭＥとをさらに含む。
【００４６】
本開示のさらに別の態様によれば、発信ファイバ経路と着信ファイバ経路とを含む光通信システムを監視するある方法が提供される。この方法は、発信光学時間領域反射率測定（ＯＴＤＲ）試験信号と、着信ＯＴＤＲ試験信号と、ループバック試験信号とを含む試験信号を回線監視装置（ＬＭＥ）から発信ファイバ経路上に送信するステップと、試験信号の少なくとも一部を、リピータを介して、発信ファイバ経路から着信ファイバ経路に結合するステップであって、リピータが、入力および出力を有し、光信号を増幅するための第１の増幅器と、入力および出力を有し、光信号を増幅するための第２の増幅器と、第１の増幅器の出力を第２の増幅器の入力に結合するための高損失ループバック（ＨＬＬＢ）経路とを含む、ステップと、ＬＭＥにおいて、着信ファイバ経路から、発信ＯＴＤＲ試験信号に応答して、発信ＯＴＤＲ信号を受信し、着信ＯＴＤＲ試験信号に応答して、着信ＯＴＤＲ信号を受信し、ループバック試験信号に応答して、ループバック信号を受信するステップと、光通信システム内の欠陥を監視するために、発信ＯＴＤＲ信号と、着信ＯＴＤＲ信号と、ループバック信号とを解析するステップとを含む。
【図１】
2014150527.tif 000003
【図２ａ】
2014150527.tif 000004
【図２ｂ】
2014150527.tif 000005
【図２ｃ】
2014150527.tif 000006
【図２ｄ】
2014150527.tif 000007
【図３】
2014150527.tif 000008
【図４】
2014150527.tif 000009
【外国語明細書】
2014150527.tif 000010
2014150527.tif 000011
2014150527.tif 000012
2014150527.tif 000013
2014150527.tif 000014
2014150527.tif 000015
2014150527.tif 000016
2014150527.tif 000017
2014150527.tif 000018
2014150527.tif 000019
2014150527.tif 000020
2014150527.tif 000021
2014150527.tif 000022
2014150527.tif 000023
2014150527.tif 000024
2014150527.tif 000025
2014150527.tif 000026
2014150527.tif 000027
2014150527.tif 000028
2014150527.tif 000029
2014150527.tif 000030
2014150527.tif 000031
2014150527.tif 000032
2014150527.tif 000033
2014150527.tif 000034
2014150527.tif 000035
2014150527.tif 000036